(57)【要約】【課題】電子印章を利用可能な端末機種を減らすことなく、電子印章の配置パターンを増加させることが可能な端末装置を提供する。【解決手段】本発明の端末装置は、複数の位置での接触又は押下を同時に検出可能なマルチタッチ方式のタッチパネルと、タッチパネルにおいて、所定の相対的な位置関係を有する複数の位置での接触又は押下が検出された後、別の所定の相対的な位置関係を有する複数の位置での接触又は押下が検出されたことを条件に所定の制御を行う制御部と、を備える。【選択図】図１
2020074231.tif 000002
【特許請求の範囲】
【請求項１】
複数の位置での接触又は押下を同時に検出可能なマルチタッチ方式のタッチパネルと、
前記タッチパネルにおいて、所定の相対的な位置関係を有する複数の位置での接触又は押下が検出された後、別の所定の相対的な位置関係を有する複数の位置での接触又は押下が検出されたことを条件に所定の制御を行う制御部と、
を備える端末装置。
【請求項２】
前記所定の相対的な位置関係で接触又は押下された前記タッチパネル上の複数の絶対的な位置と、前記別の所定の相対的な位置関係で接触又は押下された前記タッチパネル上の複数の絶対的な位置とが、少なくとも１つの位置において共通することを特徴とする請求項１に記載の端末装置。
【請求項３】
所定の相対的な位置関係で配置された複数の部材を備え、前記複数の部材で端末装置のタッチパネルが接触又は押下されることにより、前記端末装置に前記所定の相対的な位置関係を有する複数の位置での接触又は押下を検出させる電子印章であって、
前記所定の相対的な位置関係で配置された複数の部材の配置を、別の所定の相対的な位置関係の配置に、自動的に又は半自動的に変更可能に構成された電子印章。
【請求項４】
前記所定の相対的な位置関係で配置された複数の部材が、前記タッチパネルに接触又は前記タッチパネルを押下したことを検出し、検出後、前記所定の相対的な位置関係で配置された複数の部材の配置を、前記別の所定の相対的な位置関係の配置に変更する配置制御部を備えることを特徴とする請求項３に記載の電子印章。
【請求項５】
前記第１印章及び前記第２印章を接触させる又は押下する面に対向して形成された凹部に、第１斜面と、前記別の所定の相対的な位置関係で配置された複数の部材からなる第２印章と、を備える押下部品と、
前記第１印章及び前記第２印章を接触させる又は押下する面に垂直な面を挟んで、互いに逆方向に広がるように傾斜している第２斜面と第３斜面とを備える複数の伝達部品と、
前記所定の相対的な位置関係で配置された複数の部材からなる第１印章が片面に形成され、前記第２印章の降下を妨げない板状の移動部品と、
を備え、
前記押下部品の凹部は、前記第１斜面と前記第２斜面とが面的に接触するように前記複数の伝達部品を取り囲み、
前記移動部品は、当該移動部品を取り囲む前記複数の伝達部品の前記第３斜面に、前記第１印章が形成された面が、当該第１印章を接触させる又は押下する面に対向するように載架され、
前記押下部品が押下されていない状態では、前記第１印章が前記タッチパネルに接触又は押下可能に露出し、
前記押下部品が印章を接触させる又は押下する面に向けて押下されると、前記第２印章が降下するとともに、前記第１斜面が前記第２斜面を摺動することにより前記複数の伝達部品が押されて移動し、前記複数の伝達部品の前記第３斜面が取り囲む部分の面積が狭まり、これにより前記移動部品が前記第３斜面を摺動しつつ上昇して、前記第２印章が前記タッチパネルに接触又は押下可能に露出する
ことを特徴とする請求項３に記載の電子印章。
【請求項６】
前記移動部品は、前記第２印章の複数の部材の配置に応じた複数の穴を設け、当該複数の部材が当該複数の穴を通過するように構成することにより、前記第２印章の降下を妨げないことを特徴とする請求項５に記載の電子印章。
【請求項７】
前記押下部品は、前記第１印章及び前記第２印章を接触させる又は押下する面に対向する面に１以上の部材からなる第３印章を備え、
前記押下部品が押下されていない状態では、前記第１印章と前記第３印章とが前記タッチパネルに接触又は押下可能に露出し、
前記押下部品が印章を接触させる又は押下する面に向けて押下されると、前記第２印章と前記第３印章とが前記タッチパネルに接触又は押下可能に露出する
ことを特徴とする請求項５又は６に記載の電子印章。
【請求項８】
少なくとも１つの前記伝達部品の、前記第１印章及び前記第２印章を接触させる又は押下する面に対向する面の全体又は一部を第３印章とし、
前記押下部品が押下されていない状態では、前記第１印章と前記第３印章とが前記タッチパネルに接触又は押下可能に露出し、
前記押下部品が印章を接触させる又は押下する面に向けて押下されると、前記第２印章と前記第３印章とが前記タッチパネルに接触又は押下可能に露出する
ことを特徴とする請求項５又は６に記載の電子印章。
【請求項９】
コンピュータを請求項１又は２に記載の端末装置の前記制御部として機能させることを特徴とするプログラム。
【発明の詳細な説明】
【技術分野】
【０００１】
本発明は、端末装置が実装するマルチタッチ対応のタッチパネルが、電子印章が押下されたことにより検出した複数の位置が、所定の相対的な位置関係にあることを条件に所定の制御を行う端末装置、電子印章およびプログラムに関する。
【背景技術】
【０００２】
近年、端末装置、とりわけスマートフォンをはじめとする携帯端末においては、画面に指などを接触させることなどにより端末の操作や情報の入力を行うタッチパネル方式を採用するものが広く普及している。
【０００３】
このような中、情報の入力をタッチパネルに指を接触させることなどにより行うという特徴を活かし、様々なシステムが考案されている。そのひとつとして、特許文献１に示される電子印章システムが挙げられる。これは、非導電部材の表面に取り付けられた複数の導電部材の相対的な位置関係を印章と観念し、この複数の導電部材を静電容量型のマルチタッチ対応のタッチパネルに接触させて、当該タッチパネルを備える端末装置に当該印章を電子的に認識させるものである。具体的には例えば図１３に示すように、端末装置１のマルチタッチ対応のタッチパネル２に、複数の導電部材が正しい相対的位置関係で配置された印章３ａを接触させた場合には認証がＯＫとなって端末装置１は所定の制御を行い、複数の導電部材が正しい相対的位置関係で配置されていない印章３ｂを接触させた場合には認証がＮＧとなって端末装置１は所定の制御を行わない、というように利用することができる。
また、電子印章を用いた応用的サービスとして、例えば、特許文献２に示される電子チケットシステムが挙げられる。これは、コンサート等の会場の入場ゲートで、専用の電子チケットアプリケーションの起動により電子チケットが表示された端末装置を係員に提示し、係員が電子印章を接触させることによってチケット使用済の表示に遷移させた上で会場内への入場を認めるものである。このシステムにより、手間を要していた紙のチケットのもぎり作業がスタンプをタッチパネルに接触させるという簡易な作業で代替されるため、入場手続きの円滑化を図ることができる。
【先行技術文献】
【特許文献】
【０００４】
【特許文献１】特開２０１２−２５６２４６号公報
【特許文献２】特開２０１５−００５２７５号公報
【発明の概要】
【発明が解決しようとする課題】
【０００５】
（１）背景技術として例示した電子印章は、タッチパネルに接触させる複数の導電部材の相対的な位置関係を印章と観念するが、印章が設けられる面の面積は、当該電子印章を押印するタッチパネルの面積により制約を受けるため、これにより、印章を構成する導電部材の数も制約を受ける。また、押印者の押印のしやすさを確保する観点から、タッチパネルの面積に対してある程度のマージンを持たせる必要があるため、これによっても印章面の面積の制約を受ける。
【０００６】
例えば、略正方形の電子印章を適用する場合、多少回転して使用する場合を考慮し、対角線の長さが一般的なスマートフォン画面の横幅を超えないサイズ（例えば縦３０ｍｍ×横３０ｍｍ程度）にする必要がある。また、タッチパネルに接触させる導電部材は、一定面積がないと指として認識されない一方、隣接する導電部材同士が近すぎると１本の指であると誤検知されてしまう。そのため、当該略正方形内への導電部材の配置密度は、縦５個×横５個程度にするのが現実的である。５×５＝２５個の配置場所に２個から２４個の導電部材を配置するパターンの総数は３０００万通り以上あるが、実際には、誤検知を確実に防ぐために、導電部材同士が接近する配置パターンを除外したり回転対称である配置パターンを除外したりする必要から、３個から５個の導電部材を配置する数百通りの配置パターンに限定される。更に、端末装置の機種ごとのタッチパネルの検出精度のばらつきを考慮すると、市販の大部分の機種に対応させようとした場合、さらに配置パターンが限定されてしまうのが現状である。
【０００７】
しかし、例えば大規模チェーン店などで、複数の異なる店舗への来店により特典を与えるサービスを電子印章を用いて実現する場合、店舗ごとに印章を相違させる必要から、店舗の数が多くなると配置パターンが足りない場合が生じる。また、スタンプラリーにおいても、チェックポイントが多いと配置パターンが足りない場合が生じる。
【０００８】
そこで、本発明の第１の目的は、電子印章を適用可能な端末機種数を減らすことなく、電子印章の配置パターンを増加させることが可能な端末装置、電子印章及びプログラムを提供することにある。
【０００９】
（２）背景技術として例示した電子印章は、単に複数の導電部材をタッチパネルに接触させるものであるため、複数本の指で指の配置を変えつつ何度か押印を試みることで押印が成功してしまう危険がある。このような不正は、電子チケット等の押印により単に消し込みを行う利用形態である場合にはさほど問題にならないが、スタンプカード等の押印により特典が付与される利用形態の場合には大きな問題となる。
【００１０】
そこで、本発明の第２の目的は、不正押印が困難な端末装置、電子印章及びプログラムを提供することにある。
【課題を解決するための手段】
【００１１】
（１）本発明の端末装置は、複数の位置での接触又は押下を同時に検出可能なマルチタッチ方式のタッチパネルと、当該タッチパネルにおいて所定の相対的な位置関係を有する複数の位置での接触又は押下が検出された後、別の所定の相対的な位置関係を有する複数の位置での接触又は押下が検出されたことを条件に所定の制御を行う制御部と、を少なくとも備える。本発明においては、従来のようにタッチパネルが所定の相対的な位置関係を有する複数の位置での接触又は押下を検出したことのみをもって制御実行の認証を行うのではなく、更にその後、別の所定の相対的な位置関係を有する複数の位置での接触又は押下を検出したことを条件に制御実行の認証を行う。このように２段階の認証を行うことで、１段階につき例えば配置パターンが５０通りであったとしても、２段階で５０×５０＝２５００通りの配置パターンの電子印章を用意することが可能となり、利用可能な端末機種数を減らすことなく配置パターンを飛躍的に増加させることができる。そのため、大規模チェーン店で複数の異なる店舗への来店により特典を与えるサービスを提供する場合にも店舗ごとに異なる配置パターンの電子印章を提供することができ、スタンプラリーにおいてもチェックポイント数の上限を事実上無くすことができる。
【００１２】
（２）本発明の端末装置における二段階認証において、所定の相対的な位置関係で接触又は押下されたタッチパネル上の複数の絶対的な位置と、別の所定の相対的な位置関係で接触又は押下されたタッチパネル上の複数の絶対的な位置とが、少なくとも１つの位置において共通していることを認証の条件としてもよい。このような認証条件にすることで、指を用いた不正押印を防ぐことができる。
【００１３】
（３）本発明の電子印章は、所定の相対的な位置関係で配置された複数の部材を備え、当該複数の部材で端末装置のタッチパネルが接触又は押下されることにより、端末装置に所定の相対的な位置関係を有する複数の位置での接触又は押下を検出させる電子印章であって、所定の相対的な位置関係で配置された複数の部材の配置を、別の所定の相対的な位置関係の配置に、自動的に又は半自動的に変更可能に構成された電子印章である。
【００１４】
（４）（３）の電子印章において、部材の配置を自動的に変更するには、例えば、所定の相対的な位置関係で配置された複数の部材が、タッチパネルに接触又はタッチパネルを押下したことを検出し、検出後、所定の相対的な位置関係で配置された複数の部材の配置を別の所定の相対的な位置関係の配置に変更する配置制御部を備えるとよい。これにより、所定の相対的な位置関係で配置された複数の部材がタッチパネルに接触した後、所定の相対的な位置関係で配置された複数の部材の配置を、別の所定の相対的な位置関係の配置に自動的にかつ速やかに変更することができる。また、不正押印防止のために、所定の相対的な位置関係で接触又は押下されたタッチパネル上の複数の絶対的な位置と、別の所定の相対的な位置関係で接触又は押下されたタッチパネル上の複数の絶対的な位置とが、少なくとも１つの位置において共通していることを端末装置での認証条件とした場合には、この条件を満たすように、複数の部材の配置を配置制御部が制御するように構成すればよい。これにより、電子印章によるタッチパネルへの押印を所定の時間継続することで認証条件を満たすことができる。
【００１５】
（５）（３）の電子印章において、部材の配置を半自動的に変更するには、例えば次のように構成するとよい。本発明の電子印章は、押下部品、複数の伝達部品、及び移動部品を備える。押下部品は、第１印章及び第２印章を接触させる又は押下する面に対向して形成された凹部に、第１斜面と、別の所定の相対的な位置関係で配置された複数の部材からなる第２印章と、を備える。伝達部品は、第１印章及び第２印章を接触させる又は押下する面に垂直な面を挟んで、互いに逆方向に広がるように傾斜している第２斜面と第３斜面とを備える。移動部品は、所定の相対的な位置関係で配置された複数の部材からなる第１印章が片面に形成され、第２印章の降下を妨げない板状の部品である。第２印章の降下を妨げない構成として、例えば、移動部品に第２印章の複数の部材の配置に応じた複数の穴を設け、第２印章の複数の部材を当該複数の穴２３２を通過させる構成が挙げられる。押下部品の凹部は、第１斜面と第２斜面とが面的に接触するように複数の伝達部品を取り囲み、移動部品は、当該移動部品を取り囲む複数の伝達部品の第３斜面に、第１印章が形成された面が、当該第１印章を接触させる又は押下する面に対向するように載架される。
【００１６】
このように構成することで、押下部品が押下されていない状態では、第１印章がタッチパネルに接触又は押下可能に露出する。一方、印章を接触させる又は押下する面に向けて押下部品が押下されると、第２印章が降下するとともに、第１斜面が第２斜面を摺動することにより複数の伝達部品が押されて移動し、当該複数の伝達部品の第３斜面が取り囲む部分の面積が狭まる。この面積が狭まることにより、第１印章が設けられている移動部品が、より面積の広い上部へ第３斜面を摺動しつつ上昇する結果、降下した第２印章が第１印章に代わってタッチパネルに接触又は押下可能に露出する。これにより、所定の相対的な位置関係で配置された複数の部材がタッチパネルに接触した後、押下部品を押下することで、所定の相対的な位置関係で配置された複数の部材の配置を、別の所定の相対的な位置関係の配置に半自動的にかつ速やかに変更することができる。
【００１７】
（６）不正押印防止のために、所定の相対的な位置関係で接触又は押下されたタッチパネル上の複数の絶対的な位置と、別の所定の相対的な位置関係で接触又は押下された前記タッチパネル上の複数の絶対的な位置とが、少なくとも１つの位置において共通していることを端末装置での認証の条件とした場合に部材の配置を半自動的に変更する方法として、例えば、（５）の構成において、（Ｉ）押下部品の底面に１以上の部材からなる第３印章を設ける方法、（II）少なくとも１つの伝達部品の底面の全部又は一部を第３印章として利用する方法、が挙げられる。これらの方法を採ることで、押下部品が押下されていない状態では、第１印章と第３印章とがタッチパネルに接触又は押下可能に露出し、押下部品が印章を接触させる又は押下する面に向けて押下されると、第２印章と第３印章とがタッチパネルに接触又は押下可能に露出する。すなわち、第３印章は押下部品の押下の前後で共通してタッチパネルに接触又は押下可能に露出していることになる。そのため、第１印章と第３印章とを合わせた配置を所定の相対的な位置関係と観念し、第２印章と第３印章とを合わせた配置を別の所定の相対的な位置関係と観念すれば、押印によって所定の相対的な位置関係で接触又は押下されたタッチパネル上の複数の絶対的な位置と、別の所定の相対的な位置関係で接触又は押下されたタッチパネル上の複数の絶対的な位置とが、少なくとも１つの位置において共通することになる。したがって、所定の相対的な位置関係で配置された複数の部材がタッチパネルに接触した後、押下部品を押下することで、所定の相対的な位置関係で接触又は押下されたタッチパネル上の複数の絶対的な位置と、別の所定の相対的な位置関係で接触又は押下されたタッチパネル上の複数の絶対的な位置とが、少なくとも１つの位置において共通するように、所定の相対的な位置関係で配置された複数の部材の配置を、半自動的にかつ速やかに別の所定の相対的な位置関係の配置に変更することができる。
【図面の簡単な説明】
【００１８】
【図１】本発明の端末装置の構成を示す図である。
【図２】所定の相対的な位置関係の一例を示す図である。
【図３】部材の配置を自動変更可能な電子印章の一例を示す図である。
【図４】部材の配置を半自動変更可能な電子印章の外観の一例を示す図である。
【図５】押下部品の一例を示す図である。
【図６】伝達部品の一例を示す図である。
【図７】移動部品の一例を示す図である。
【図８】図５から図７に示した各部品を用いて組み立てた電子印章を示す図である。
【図９】組み立て時の伝達部品と移動部品との配置関係を示す図である。
【図１０】電子印章に第３印章を設ける一例を示す説明する図である。
【図１１】押下部品と第３印章との相対的位置の変化の吸収方法を説明する図である。
【図１２】電子印章に第３印章を設ける一例を説明する別の図である。
【図１３】電子印章システムを説明する図である。
【発明を実施するための形態】
【００１９】
［端末装置］
図１は、本発明の端末装置１０の構成を示す図である。端末装置１０は、タッチパネル１１と制御部１２とを少なくとも備え、その他、端末装置１０の用途に応じた各種機能が実装される。
【００２０】
タッチパネル１１は、複数の位置での接触又は押下を同時に検出可能なマルチタッチ方式のタッチパネルである。タッチパネルには、静電的な導電性を持つ物体を接触させることにより検知する方式（例えば、静電容量方式）やタッチパネルが押下されることにより検知する方式（例えば、抵抗膜方式）などがあるが、複数の位置での接触又は押下を同時に検出可能な方式であればいかなる方式であっても構わない。制御部１２は、タッチパネル１１において所定の相対的な位置関係（例えば図２(a)）を有する複数の位置での接触又は押下が検出された後、別の所定の相対的な位置関係（例えば図２(b)）を有する複数の位置での接触又は押下が検出されたことを条件に所定の制御を行う。位置関係を相対的に定義する意義は、タッチパネルへの電子印章による押印が人間により行われ、押印される向きが必ずしも一定でないため、相対的に定義することで押印される向きによらず認証を可能とすることにある。所定の相対的な位置関係及び別の相対的な位置関係は、互いに異なる配置であれば、それぞれをいかなる配置にするかは任意である。なお、相対的な位置関係及び別の相対的な位置関係の内容は、制御部１２自身が保持していてもよいし、端末装置１０の記憶手段が保持しそこから読み出してもよい。また、ネットワークを介したサーバ等の他の装置が保持しそこから読み出してもよい。不正入力防止の観点から、所定の相対的な位置関係を有する複数の位置での接触又は押下が検出された後、別の所定の相対的な位置関係を検出するまでの時間を制限するとよい。この場合、時間を長く設定すると不正入力の危険性が高まるため、なるべく短い時間で設定するのが望ましい。認証に成功した場合の所定の制御の内容についても任意であり、例えば、画面表示を変更する、所定の情報を送受信するなどの制御が挙げられる。
【００２１】
本発明においては、従来のようにタッチパネルが所定の相対的な位置関係を有する複数の位置での接触又は押下が検出されたことのみをもって制御実行の認証を行うのではなく、更にその後、別の所定の相対的な位置関係を有する複数の位置での接触又は押下が検出されたことを条件に制御実行の認証を行う。このように２段階の認証を行うことで、１段階につき配置パターンが５０通りであったとしても、２段階で５０×５０＝２５００通りの配置パターンの電子印章を用意することが可能となり、利用可能な端末機種数を減らすことなく配置パターンを飛躍的に増加させることができる。そのため、大規模チェーン店で複数の異なる店舗への来店により特典を与えるサービスを提供する場合にも店舗ごとに異なる配置パターンの電子印章を提供することができ、スタンプラリーにおいてもチェックポイント数の上限を事実上無くすことができる。
【００２２】
［端末装置（変形例）］
本発明の端末装置１０における二段階認証において、所定の相対的な位置関係で接触又は押下されたタッチパネル１１上の複数の絶対的な位置と、別の所定の相対的な位置関係で接触又は押下されたタッチパネル１１上の複数の絶対的な位置とが、少なくとも１つの位置において共通していることを認証の条件としてもよい。例えば図２(c)は、図２(a)に示す所定の相対的な位置関係に対して、２つの位置（網掛け部分）について共通している別の所定の相対的な位置関係の一例を示したものである。
【００２３】
複数本の指で、指の配置を変えつつ所定の相対的な位置関係と別の所定の相対的な位置関係を作ろうとした場合、一部の指をタッチパネルに接触させたまま別の所定の相対的な位置関係に指の配置を変えるのは正解の配置を知っていても容易ではない。また、指の配置を変えるために一旦すべての指をタッチパネルから離してしまうと、離す前の位置と全く同じ位置に再度指を接触させることも容易ではない。そこで、このような認証条件にすることで、指を用いた不正押印を防ぐことができる。
【００２４】
［電子印章］
本発明の電子印章は、所定の相対的な位置関係で配置された複数の部材を備え、当該複数の部材で端末装置のタッチパネルが接触又は押下されることにより、端末装置に所定の相対的な位置関係を有する複数の位置での接触又は押下を検出させる電子印章であって、所定の相対的な位置関係で配置された複数の部材の配置を、別の所定の相対的な位置関係の配置に、自動的に又は半自動的に変更可能に構成された電子印章である。
【００２５】
複数の部材の配置を、所定の相対的な位置関係から別の所定の相対的な位置関係に変更する一般的な方法として、例えば、複数の部材の配置が異なる２つの電子印章を用意する方法や、１つの電子印章において印章を構成する部材を着脱可能にして部材の配置を手作業で変更する方法などが挙げられる。しかし、不正防止の観点から部材の配置の変更を短時間に行う必要があることを考えると、電子印章自体を交換したり、部材の配置を手作業で変更したりすることは事実上困難である。そこで、１つの電子印章における複数の部材の配置を自動的に又は半自動的に変更可能な構成にすることが望ましい。以下、複数の部材の配置を自動的に又は半自動的に変更可能にする構成について具体的に説明する。
【００２６】
［電子印章（配置自動変更）］
図３(a)は、電子印章１００の一例を示す断面図である。電子印章１００は、所定の相対的な位置関係で配置された複数の部材１０１と配置制御部１０２を備える。図３(b)は、電子印章１００の底面、すなわち印章を構成する面１０３における複数の部材１０１の配置の一例を示す図である。複数の部材１０１の材質は、電子印章１００を適用するタッチパネル１１の検知方式が、静電的な導電性を持つ物体の接触を検知する方式である場合は静電的な導電性を持つ材質である必要があり、タッチパネルの押下を検知する方式である場合は材質を問わない。また、印章を構成する面１０３における複数の部材１０１の形状は任意であり、図３(b)の例では円形としている。
【００２７】
電子印章１００は、当該電子印章１００の複数の部材１０１で端末装置１０のタッチパネル１１が接触又は押下されることにより、端末装置１０に所定の相対的な位置関係を有する複数の位置での接触又は押下を検出させる電子印章であって、所定の相対的な位置関係で配置された複数の部材１０１の配置を、別の所定の相対的な位置関係の配置に自動的に変更可能に構成された電子印章である。具体的には配置制御部１０２が、所定の相対的な位置関係で配置された複数の部材１０１が、タッチパネル１１に接触又はタッチパネル１１を押下したことを当該複数の部材１０１を介して検出し、検出後、所定の相対的な位置関係で配置された複数の部材１０１の配置を別の所定の相対的な位置関係の配置に変更する。そのため、配置制御部１０２には、所定の相対的な位置関係と別の所定の相対的な位置関係が予め登録されている必要がある。相対的な位置関係の登録の方法は、電子印章１００自体が登録手段を実装する、無線通信により外部から取得する、など任意である。また、複数の部材１０１の配置の変更方法についても任意である。例えば、図３(a)に示すように、複数の部材１０１を印章面１０３に垂直な方向に上下させる方法が挙げられる。所定の相対的な位置関係を有する複数の位置への接触又は押下が検出された後、別の所定の相対的な位置関係に配置を変更するまでの時間は任意であるが、当該電子印章を適用する端末装置１０で制限時間が設定されている場合にはその制限時間内で時間を設定する。
【００２８】
これにより、所定の相対的な位置関係で配置された複数の部材１０１がタッチパネル１１に接触した後、所定の相対的な位置関係で配置された複数の部材１０１の配置を、別の所定の相対的な位置関係の配置に自動的にかつ速やかに変更することができる。また、不正押印防止のために、所定の相対的な位置関係で接触又は押下されたタッチパネル１１上の複数の絶対的な位置と、別の所定の相対的な位置関係で接触又は押下されたタッチパネル１１上の複数の絶対的な位置とが、少なくとも１つの位置において共通していることを端末装置１０での認証条件とした場合には、この条件を満たすように、複数の部材１０１の配置を配置制御部１０２が制御するように構成すればよい。これにより、電子印章１００によるタッチパネル１１への押印を所定の時間継続することで認証条件を満たすことができる。
【００２９】
［電子印章（配置半自動変更）］
図４は、電子印章２００の一例を示す斜視図であり、(a)が通常の状態、(b)が押下した状態である。電子印章２００は、押下部品２１０、複数の伝達部品２２０、及び移動部品２３０を備える。伝達部品２２０の個数は、第１印章２３１の押印安定性、移動部品２３０の移動安定性及び摺動性等を考慮し、任意に決定してよい。
【００３０】
押下部品２１０は、第１印章２３１及び第２印章２１３を接触させる又は押下する面２１５（以下、「面２１５」という。）に対向して形成された凹部２１１に、第１斜面２１２と、別の所定の相対的な位置関係で配置された複数の部材からなる第２印章２１３と、を備える。図５は押下部品２１０の構成例であり、(a)に押下部品２１０の平面図を、(b)にＡ−Ａ線断面図を、(c)に底面図をそれぞれ示す。ここで、押下部品２１０の平面形状は図５では四角形としているが、任意の形状として構わない。凹部２１１の開口形状についても図５(c)では四角形としているが、第１斜面２１２を伝達部品２２０の第２斜面２２１が摺動するのに支障がなければ、円形等任意の形状として構わない。また、第２印章２１３を構成する複数の部材の材質は、電子印章２００を適用するタッチパネル１１の検知方式が、静電的な導電性を持つ物体の接触を検知する方式である場合は静電的な導電性を持つ材質である必要があり、パネルの押下を検知する方式である場合は材質を問わない。第２印章２１３を構成する部材の数及び配置は任意であり、第２印章２１３の面２１５に対向する面における複数の部材の形状も任意である。図５(b)(c)では部材は２つ、部材の形状は円形としている。
【００３１】
伝達部品２２０は、面２１５に垂直な面２２５を挟んで、互いに逆方向に広がるように傾斜している第２斜面２２１と第３斜面２２２とを備える。図６は伝達部品２２０の構成例であり、(a)に伝達部品２２０の平面図を、(b)にＢ−Ｂ線断面図を、それぞれ示す。ここで、第２斜面２２１と第３斜面２２２の形状は図６では平面としているが、押下部品２１０の凹部２１１を円形とした場合、第１斜面２１２が曲面となるため、この場合には摺動性の観点から第２斜面２２１も曲面とするとよい。また、第３斜面２２２を摺動する移動部品２３０の平面形状が円形の場合にも、摺動性の観点から第３斜面２２２を曲面とするとよい。第１斜面２２１が面２１５となす角θ１と第２斜面２２２が面２１５となす角θ２は、それぞれ任意であるが、θ１とθ２の角度を相違させることで、押下部品２１０を押下した距離に対する移動部品２３０の上昇距離を制御することができる。例えば、θ２がθ１より大きいほど押下部品２１０を押下した距離に比べ移動部品２３０の上昇距離を大きくすることができる。ただし反面、θ１の角度を小さくすることで押下に必要な力も大きくなるため、実用性を考慮してバランスをとるとよい。
【００３２】
移動部品２３０は、所定の相対的な位置関係で配置された複数の部材からなる第１印章２３１が片面に形成された板状の部品である。本発明では電子印章２００の最上部に設けられる押下部品２１０に第２印章２１３が設けられ、これを降下させることで第２印章２１３による押印を実現するため、下部に設けられる移動部品２３０は第２印章２１３の降下を妨げない形状にする必要がある。図７は移動部品２３０の構成例であり、(a)に伝達部品２２０の平面図を、(b)にＣ−Ｃ線断面図を、それぞれ示す。ここで、移動部品２３０の形状は図７(a)(c)では四角形としているが、第３斜面２２２を摺動するのに支障がなければ、円形等任意の形状として構わない。また、図７(b)では第３斜面２２２との接触性を高める観点から側面２３０ａを傾斜させているが、摺動性を制御するため傾斜の角度を適宜変更してもよい。第２印章２１３の降下を妨げない構成として、例えば、図７に示すように、移動部品２３０に第２印章２１３の複数（ここでは２つ）の部材の配置に応じた複数の穴２３２を設け、第２印章２１３の複数の部材が当該複数の穴２３２を通過させる構成が挙げられる。また、図示は省略するが、移動部品２３０に切欠きを入れる構成にしてもよい。
【００３３】
押下部品２１０、複数の伝達部品２２０、及び移動部品２３０を組み合わせて構成した電子印章２００の一例を図８に示す。図８では、押下部品２１０、伝達部品２２０、及び移動部品２３０の形状が図５から７に示したもので、伝達部品２２０が４つの場合を例示する。(a)は平面図、(b1)はＤ−Ｄ線断面図、(c1)は底面図である。また、図９(a)は押下部品２１０を取り除いたときの平面図である。押下部品２１０の凹部２１１は、第１斜面２１２と第２斜面２２１とが面的に接触するように４つの伝達部品２２０を取り囲み、移動部品２３０は、当該移動部品２３０を取り囲む４つの伝達部品２２０の第３斜面２２２に、第１印章２３１が形成された面が面２１５に対向するように載架される。なお、押下部品２１０と伝達部品２２０は一体性の確保、及び押下部品２１０押下後の押下前の状態への復元のために、例えば、ばね等の弾性体により連結するとよい（図示省略）。移動部品２３０についても、必要に応じて押下部品２１０及び／又は伝達部品２２０と連結してよい。また、タッチパネル１１が静電的な導電性を持つ物体を接触させることにより位置を検知する方式の場合に、伝達部品２２０が第１印章２３１及び第２印章２１３とともに面２１５に接触するように構成する場合は、伝達部品２２０の材質は静電的な導電性を持たないものにする必要がある。一方、タッチパネル１１が押下されることにより位置を検知する方式の場合は、電子印章２００による押印時に、伝達部品２２０がタッチパネル１１を押下しないよう、伝達部品２２０より第１印章２３１及び第２印章２１３が突出するように各部品の形状等を設計する必要がある。ただし、伝達部品２２０の底面を第１印章２３１及び第２印章２１３の一部として利用する場合には、第１印章２３１及び第２印章２１３とともにタッチパネル１１に接触するように構成しても構わない。
【００３４】
以上のように構成することで、押下部品２１０が押下されていない状態では、図８(b1)に示すように、第１印章２３１がタッチパネル１１に接触又は押下可能に露出する。一方、面２１５に向けて押下部品２１０が押下されると、図８(b2)に示すように、第２印章２１３が降下するとともに、第１斜面２１２が第２斜面２２１を摺動することにより４つの伝達部品２２０が凹部２１１の中心軸に向けて押されて移動し、４つの伝達部品２２０の第３斜面２２２が取り囲む部分の面積が狭まる。この面積が狭まることにより、第１印章２３１が設けられている移動部品２３０が、より面積の広い上部へ第３斜面２２２を摺動しつつ上昇する結果、降下した第２印章２１３が第１印章２３１に代わってタッチパネル１１に接触又は押下可能に露出する。これにより、所定の相対的な位置関係で配置された複数の部材がタッチパネル１１に接触した後、押下部品２１０を押下することで、所定の相対的な位置関係で配置された複数の部材の配置を、別の所定の相対的な位置関係の配置に半自動的にかつ速やかに変更することができる。
【００３５】
［電子印章（配置半自動変更の変形例）］
不正押印防止のために、所定の相対的な位置関係で接触又は押下されたタッチパネル１１上の複数の絶対的な位置と、別の所定の相対的な位置関係で接触又は押下されたタッチパネル１１上の複数の絶対的な位置とが、少なくとも１つの位置において共通していることを端末装置１０における認証の条件とした場合に部材の配置を半自動的に変更する方法として、例えば、配置半自動変更を可能とする図８に示す電子印章２００において、（Ｉ）押下部品２１０の底面に１以上の部材からなる第３印章を設ける方法、（II）少なくとも１つの伝達部品２２０の底面の全部又は一部を第３印章として利用する方法、が挙げられる。
【００３６】
図１０は、（Ｉ）の方法による電子印章２００の変形例である電子印章２０１を説明する図である。(a)は平面図、(b1)はＥ−Ｅ線断面図、(c1)は底面図である。この構成においては、押下部品２１０の底面に１以上の部材からなる第３印章２４１を設ける。各部材を設ける個数、及び各部材を設ける位置は任意である。各部材の面２１５と対向する面の形状も任意であり、図１０の例では円形としている。第３印章２４１を構成する各部材の材質は、電子印章２０１を適用するタッチパネル１１の検知方式が、静電的な導電性を持つ物体の接触を検知する方式である場合は静電的な導電性を持つ材質である必要があり、パネルの押下を検知する方式である場合は材質を問わない。
【００３７】
第３印章２４１は、通常は押下部品２１０の底面から第１印章２３１と同一平面で露出し、押印部材２１０の押下後も押下部品２１０の底面から第２印章２１３と同一平面で露出するように構成する。すなわち、第３印章は押下部品の押下の前後で共通してタッチパネルに接触又は押下可能に露出していることになる。例えば、第３印章２４１の各部材をばねなどの弾性体を介して押下部品２１０に固定することにより、押下部品２１０の押下による押下部品２１０と第３印章２４１との相対的な位置の変化を吸収する。具体的には、図１１(a)に示すように、押印部品２１０内に設けたばね固定部２４１ａと第３印章２４１の部材とを長さＬのばね２４１ｂを介して接続することで、押印部品２１０を長さｄ押下しても、図１１(b)に示すように、ばね２４１ｂが長さｄ短縮し短縮部分に第３印章の部材が長さｄだけ押印部材２１０内に入り込む。これにより、押下部品２１０の押下による押下部品２１０と第３印章２４１との相対的な位置の変化が吸収されるため、第３印章２４１の露出状態を維持することができる。
【００３８】
図１２は、（II）の方法による電子印章２００の変形例である電子印章２０２を説明する図である。これらの構成においては、少なくとも１つの伝達部品２２０の底面の全部又は一部を第３印章２４１として利用する。
【００３９】
図１２は、少なくとも１つの伝達手段２２０の底面の全部を第３印章２４１として利用する電子印章２０２の一例を説明する断面図であり、(a)は押下部品２１０の押下前の断面図、(b)は押下部品２１０の押下後の断面図である。少なくとも１つの伝達手段２２０の底面を第３印章２４１として利用する場合、電子印章２０２による押印時に、押下部品２１０の押下前は当該伝達手段２２０と第１印章２３１の双方が、また、押下部品２１０の押下後は当該伝達手段２２０と第２印章２１３の双方が、面２１５に接触可能に電子印章２０２が構成されている必要がある。すなわち、押下部品２１０の押下前には当該伝達手段２２０と第１印章２３１の面２１５に対向する面が同一平面で露出し、押下部品２１０の押下後には当該伝達手段２２０と第２印章２１３の面２１５に対向する面が同一平面で露出するように、各部品の形状等を設計する必要がある。なお、伝達手段２２０を第３印章２４１としてタッチパネル１１に認識させることから、電子印章２０２を適用するタッチパネル１１の検知方式が静電的な導電性を持つ物体の接触を検知する方式である場合は、伝達手段２２０の底面、すなわち第３印章２４１の材質は静電的な導電性を持つ材質である必要がある。
【００４０】
複数の伝達手段２２０のうち、何個を第３印章として利用するかは任意である。また、電子印章２０２を適用するタッチパネル１１の検知方式が静電的な導電性を持つ物体の接触を検知する方式である場合には、例えば、伝達手段２２０の底面の一部のみを静電的な導電性を持つ材質とすることで、底面の全部ではなく当該一部のみを第３印章として利用することができる。
【００４１】
以上、（Ｉ）や（II）のような方法を採ることで、押下部品２１０が押下されていない状態では、第１印章２３１と第３印章２４１とがタッチパネル１１に接触又は押下可能に露出し、押下部品が面２１５に向けて押下されると、第２印章２１３と第３印章２４１とがタッチパネル１１に接触又は押下可能に露出する。すなわち、第３印章２４１は押下部品２１０の押下の前後で共通してタッチパネル１１に接触又は押下可能に露出していることになる。そのため、第１印章２３１と第３印章２１３とを合わせた配置を所定の相対的な位置関係と観念し、第２印章２１３と第３印章２４１とを合わせた配置を別の所定の相対的な位置関係と観念すれば、押印によって所定の相対的な位置関係で接触又は押下されたタッチパネル１１上の複数の絶対的な位置と、別の所定の相対的な位置関係で接触又は押下されたタッチパネル１１上の複数の絶対的な位置とが、少なくとも１つの位置において共通することになる。したがって、所定の相対的な位置関係で配置された複数の部材がタッチパネル１１に接触した後、押下部品２１０を押下することで、所定の相対的な位置関係で接触又は押下されたタッチパネル１１上の複数の絶対的な位置と、別の所定の相対的な位置関係で接触又は押下されたタッチパネル１１上の複数の絶対的な位置とが、少なくとも１つの位置において共通するように、所定の相対的な位置関係で配置された複数の部材の配置を、半自動的にかつ速やかに別の所定の相対的な位置関係の配置に変更することができる。
【００４２】
本発明の端末装置及び電子印章における各機能・処理は、必要に応じ併合・分割しても構わない。また、本発明において表現されている技術的思想の範囲内で適宜変更が可能であり、その様な変更又は改良を加えた形態も本発明の技術的範囲に含まれ得ることが請求の範囲の記載から明らかである。
【００４３】
コンピュータを本発明の端末装置として機能させる場合、各手段および各部での処理内容はプログラムによって記述される。そのプログラムは、例えば、ハードディスク装置に格納されており、実行時には、必要なプログラムやデータがＲＡＭ(Random Access Memory)に読み込まれて、そのプログラムがＣＰＵにより実行されることにより、コンピュータ上で各処理内容が実現される。
【符号の説明】
【００４４】
１、１０    端末装置
２、１１    タッチパネル
３ａ、３ｂ、１００、２００、２０１、２０２    電子印章
１２    制御部
１０１    部材
１０２    配置制御部
１０３    印章を構成する面
２１０    押下部品
２１１    凹部
２１２    第１斜面
２１３    第２印章
２１５    印章を接触させる又は押下する面
２２０    伝達部品
２２１    第２斜面
２２２    第３斜面
２２５    印章を接触させる又は押下する面に垂直な面
２３０    移動部品
２３０ａ    移動部品の側面
２３１    第１印章
２３２    穴
２４１    第３印章
２４１ａ    ばね固定部
２４１ｂ    ばね
【図１】
2020074231.tif 000003
【図２】
2020074231.tif 000004
【図３】
2020074231.tif 000005
【図４】
2020074231.tif 000006
【図５】
2020074231.tif 000007
【図６】
2020074231.tif 000008
【図７】
2020074231.tif 000009
【図８】
2020074231.tif 000010
【図９】
2020074231.tif 000011
【図１０】
2020074231.tif 000012
【図１１】
2020074231.tif 000013
【図１２】
2020074231.tif 000014
【図１３】
2020074231.tif 000015
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
所定の相対的な位置関係で配置された複数の部材を備え、前記複数の部材で端末装置のタッチパネルが接触又は押下されることにより、前記端末装置に前記所定の相対的な位置関係を有する複数の位置での接触又は押下を検出させる電子印章であって、
前記所定の相対的な位置関係で配置された複数の部材の配置を、別の所定の相対的な位置関係の配置に、自動的に又は半自動的に変更可能に構成され、
前記所定の相対的な位置関係で配置された複数の部材からなる第１印章及び前記別の所定の相対的な位置関係で配置された複数の部材からなる第２印章を接触させる又は押下する面に対向して形成された凹部に、第１斜面と、前記第２印章と、を備える押下部品と、
前記第１印章及び前記第２印章を接触させる又は押下する面に垂直な面を挟んで、互いに逆方向に広がるように傾斜している第２斜面と第３斜面とを備える複数の伝達部品と、
前記第１印章が片面に形成され、前記第２印章の降下を妨げない板状の移動部品と、
を備え、
前記押下部品の凹部は、前記第１斜面と前記第２斜面とが面的に接触するように前記複数の伝達部品を取り囲み、
前記移動部品は、当該移動部品を取り囲む前記複数の伝達部品の前記第３斜面に、前記第１印章が形成された面が、当該第１印章を接触させる又は押下する面に対向するように載架され、
前記押下部品が押下されていない状態では、前記第１印章が前記タッチパネルに接触又は押下可能に露出し、
前記押下部品が印章を接触させる又は押下する面に向けて押下されると、前記第２印章が降下するとともに、前記第１斜面が前記第２斜面を摺動することにより前記複数の伝達部品が押されて移動し、前記複数の伝達部品の前記第３斜面が取り囲む部分の面積が狭まり、これにより前記移動部品が前記第３斜面を摺動しつつ上昇して、前記第２印章が前記タッチパネルに接触又は押下可能に露出する
ことを特徴とする電子印章。
【請求項２】
前記移動部品は、前記第２印章の複数の部材の配置に応じた複数の穴を設け、当該複数の部材が当該複数の穴を通過するように構成することにより、前記第２印章の降下を妨げないことを特徴とする請求項１に記載の電子印章。